(57)【要約】【課題】直感的な操作による検査部位の選択の際に、医療検査の種類に応じて選択可能な検査部位を適切に表示し得る、医療支援装置、医療支援方法及びプログラムを提供する。【解決手段】医療支援装置は、ユーザインタフェース９を表示する表示部２と、入力を受け付ける入力受付部３と、ユーザインタフェース９として表示される複数の図形を記憶する記憶部５と、図形を選択し、それを表示部２に表示させる図形選択部４とを備える。記憶部５は、検査種が列記された検査種メニューと、検査種毎に設定され、検査部位に対応する部分の集合で形成された人型の図形と、各部分における細分化部分の名称が列記された細分化メニューとを記憶する。図形選択部は、検査種を選択する入力が受け付けられると、その検査種に設定された人型の図形を表示部２に表示させ、人型の図形の部分を選択する入力が受け付けられると、対応する細分化メニューを表示部２に表示させる。【選択図】図１
2010113417.tif 000002
【特許請求の範囲】
【請求項１】
医療検査の種類の選択と各医療検査で検査対象となる患者の部位の選択とを支援する医療支援装置であって、
表示画面にユーザインタフェースを表示させる表示部と、前記ユーザインタフェースを介した外部からの入力を受け付ける入力受付部と、前記ユーザインタフェースとして表示される複数の図形を記憶している記憶部と、前記外部からの入力に応じて、前記記憶部が記憶している前記複数の図形の中から図形を選択し、選択した図形を前記表示部に表示させる図形選択部とを備え、
前記記憶部は、前記複数の図形として、
前記医療検査の種類が列記された検査種メニューと、
前記医療検査の種類毎に設定され、且つ、当該医療検査で検査可能な患者の各部位に対応する部分の集合によって形成されている、人型の図形と、
前記部分毎に設定され、且つ、各部分を細分化したときの細分化された部分の名称が列記された細分化メニューとを記憶し、
前記図形選択部は、前記表示部に前記検査種メニューを表示させた後、前記入力受付部が、いずれかの医療検査を選択する入力を受け付けると、前記表示部に、選択されている医療検査に対して設定された前記人型の図形を表示させ、
更に、前記入力受付部が、表示されている前記人型の図形のいずれかの部分を選択する入力を受け付けると、前記表示部に、選択されている部分に対して設定された前記細分化メニューを表示させる、ことを特徴とする医療支援装置。
【請求項２】
表示されている前記人型の図形の２以上の部分を選択する入力が、予め設定された前記２以上の部分の組合せについて、許容されている場合において、
前記入力受付部が、前記予め設定された組合せで、前記２以上の部分を選択する入力を受け付けると、
前記図形選択部は、前記表示部に、選択されている前記２以上の部分それぞれについて、前記細分化メニューを表示させる、請求項１に記載の医療支援装置。
【請求項３】
送信部を更に備え、
前記入力受付部が、前記細分化メニューが表示された後に、いずれかの細分化された部分を選択する入力を受け付け、
前記送信部は、選択されている前記医療検査を実行する検査装置に向けて、選択されている細分化された部分を特定する情報を送信する、請求項１または２に記載の医療支援装置。
【請求項４】
前記入力受付部が、更に、外部からのテキスト情報の入力を受け付け、
前記送信部が、前記情報に加え、入力が受け付けられた前記テキスト情報を送信する、請求項３に記載の医療支援装置。
【請求項５】
前記医療検査が、ＭＲＩ検査、及びＣＴ検査を少なくとも含む、請求項１〜４のいずれかに記載の医療支援装置。
【請求項６】
医療検査の種類の選択と各医療検査で検査対象となる患者の部位の選択とを支援するための医療支援方法であって、
（ａ）表示画面に、ユーザインタフェースとして、前記医療検査の種類が列記された検査種メニューを表示するステップと、
（ｂ）前記（ａ）のステップで表示された検査種メニューを介して、いずれかの医療検査の選択を受け付けるステップと、
（ｃ）前記医療検査の種類毎に設定され、且つ、当該医療検査で検査可能な患者の各部位に対応する部分の集合によって形成されている、人型の図形の中から、前記（ｂ）のステップで選択された医療検査に対して設定された人型の図形を選択するステップと、
（ｄ）前記表示画面に、ユーザインタフェースとして、前記（ｃ）のステップで選択された人型の図形を表示するステップと、
（ｅ）前記（ｄ）のステップで表示された人型の図形を介して、いずれかの前記部分の選択を受け付けるステップと、
（ｆ）前記部分毎に設定され、且つ、各部分を細分化したときの細分化された部分の名称が列記された細分化メニューの中から、前記（ｅ）のステップで選択された部分に対して設定された細分化メニューを選択するステップと、
（ｇ）前記表示画面に、ユーザインタフェースとして、前記（ｆ）のステップで選択された細分化メニューを表示するステップとを有する、ことを特徴とする医療支援方法。
【請求項７】
前記（ｅ）のステップで、前記（ｄ）のステップで表示されている前記人型の図形の２以上の部分を選択する入力が、予め設定された前記２以上の部分の組合せについて、許容されており、そして、前記予め設定された組み合わせで、前記（ｄ）のステップで表示された人型の図形の２以上の部分の選択が受け付けられると、
前記（ｆ）のステップで、前記（ｅ）のステップで選択された２以上の部分それぞれ毎に、前記細分化メニューを選択し、
前記（ｇ）のステップで、前記（ｆ）のステップで選択された全ての細分化メニューを表示する、請求項６に記載の医療支援方法。
【請求項８】
（ｈ）前記（ｇ）のステップで表示された細分化メニューを介して、いずれかの細分化された部分の選択を受け付けるステップと、
（ｉ）前記（ｈ）のステップで選択された、細分化された部分を特定する情報を、前記（ｂ）のステップで選択された医療検査を実行する検査装置に向けて送信するステップとを、更に有する、請求項６または７に記載の医療支援方法。
【請求項９】
（ｊ）前記（ｉ）のステップの実行前に、テキスト情報の入力を受け付ける、ステップを更に有し、
前記（ｉ）のステップで、前記情報に加え、前記（ｊ）のステップで入力が受け付けられたテキスト情報を送信する、請求項８に記載の医療支援方法。
【請求項１０】
前記医療検査が、ＭＲＩ検査、及びＣＴ検査を少なくとも含む、請求項６〜９のいずれかに記載の医療支援方法。
【請求項１１】
医療検査の種類の選択と各医療検査で検査対象となる患者の部位の選択との支援をコンピュータに行わせるためのプログラムであって、
前記コンピュータに、
（ａ）表示画面に、ユーザインタフェースとして、前記医療検査の種類が列記された検査種メニューを表示するステップと、
（ｂ）前記（ａ）のステップで表示された検査種メニューを介して、いずれかの医療検査の選択を受け付けるステップと、
（ｃ）前記医療検査の種類毎に設定され、且つ、当該医療検査で検査可能な患者の各部位に対応する部分の集合によって形成されている、人型の図形の中から、前記（ｂ）のステップで選択された医療検査に対して設定された人型の図形を選択するステップと、
（ｄ）前記表示画面に、ユーザインタフェースとして、前記（ｃ）のステップで選択された人型の図形を表示するステップと、
（ｅ）前記（ｄ）のステップで表示された人型の図形を介して、いずれかの前記部分の選択を受け付けるステップと、
（ｆ）前記部分毎に設定され、且つ、各部分を細分化したときの細分化された部分の名称が列記された細分化メニューの中から、前記（ｅ）のステップで選択された部分に対して設定された細分化メニューを選択するステップと、
（ｇ）前記表示画面に、ユーザインタフェースとして、前記（ｆ）のステップで選択された細分化メニューを表示するステップと、を実行させる、ことを特徴とするプログラム。
【請求項１２】
前記（ｅ）のステップで、前記（ｄ）のステップで表示されている前記人型の図形の２以上の部分を選択する入力が、予め設定された前記２以上の部分の組合せについて、許容されており、そして、前記予め設定された組み合わせで、前記（ｄ）のステップで表示された人型の図形の２以上の部分の選択が受け付けられると、
前記（ｆ）のステップで、前記（ｅ）のステップで選択された２以上の部分それぞれ毎に、前記細分化メニューを選択し、
前記（ｇ）のステップで、前記（ｆ）のステップで選択された全ての細分化メニューを表示する、請求項１１に記載のプログラム。
【請求項１３】
（ｈ）前記（ｇ）のステップで表示された細分化メニューを介して、いずれかの細分化された部分の選択を受け付けるステップと
（ｉ）前記（ｈ）のステップで選択された、細分化された部分を特定する情報を、前記（ｂ）のステップで選択された医療検査を実行する検査装置に向けて送信するステップとを、更に有する、請求項１１または１２に記載のプログラム。
【請求項１４】
（ｊ）前記（ｉ）のステップの実行前に、テキスト情報の入力を受け付ける、ステップを更に有し、
前記（ｉ）のステップで、前記情報に加え、前記（ｊ）のステップで入力が受け付けられたテキスト情報を送信する、請求項１３に記載のプログラム。
【請求項１５】
前記医療検査が、ＭＲＩ検査、及びＣＴ検査を少なくとも含む、請求項１１〜１４のいずれかに記載のプログラム。
【発明の詳細な説明】
【技術分野】
【０００１】
本発明は、医療支援装置、医療支援方法及びプログラムに関する。
【背景技術】
【０００２】
近年、医療機関においては、電子カルテシステムを初めとした各種の電子化システムが導入されている。このような電子化システムは、各種の病院業務における効率の向上を図ることができ、ひいては、省力化や、経費の低減化に貢献する。
【０００３】
特に、医療機関では、ＭＲＩ（Magnetic Resonance Imaging）検査装置、及びＣＴ（Computed Tomography）検査装置等の検査装置が導入されているが、病院業務における効率の向上には、診断を行う医師と検査装置の操作者との間の連携が重要となる。このため、電子化システムの一つとして、医師がコンピュータの画面上で選択した検査装置の種類と検査対象となる部位（検査部位）とを、検査装置側に送信するシステムが導入されている（例えば、特許文献１参照。）。
【０００４】
具体的には、特許文献１に開示のシステムでは、医師側のコンピュータの表示画面上には、ユーザインタフェースとして、選択可能な検査装置が列記されたプルダウンメニューや、人体を模した図形等が表示される。また、図形は、複数の部分の集合によって構成されており、部分毎に選択可能となっている。このような図形を用いた選択は、医師において直感的な操作を可能としており、選択作業の効率化及び容易化を図っている。
【０００５】
そして、医師が、検査装置の種類と、検査部位に相当する部分とを選択すると、選択された情報が、検査装置に送られる。検査装置の操作者は、送られた情報に基づいて、検査装置を操作すれば良い。このような特許文献１に開示のシステムによれば、検査情報は、迅速、且つ、確実に、医師から検査装置の操作者に伝わるので、医療行為の迅速化が図られる。
【特許文献１】特開２００５−８０９６９号公報（第２図）
【発明の開示】
【発明が解決しようとする課題】
【０００６】
ところで、通常、検査部位は、医療検査の種類毎、つまり検査装置毎に異なっている。しかしながら、特許文献１に開示のシステムでは、端末装置の表示画面に表示される図形は、実施される医療検査の種類が、ＭＲＩ検査、ＣＴ検査等のどのような検査装置であっても同じであり、医師が選択可能な部位も同じである。
【０００７】
このため、医師が、選択されている医療検査では検査できない部位を誤って選択し、誤って選択された部位が、検査部位として指示されてしまう場合がある。この場合、検査装置の操作者は、誤った指示が行われていることを医師に連絡する必要がある。また、操作者は、正確な指示があるまで、医療検査を行えず、医療検査の遅延が発生してしまう。更に、医療検査の遅延は、患者にとっても大きな負担となる。
【０００８】
本発明の目的は、上記問題を解消し、直感的な操作による検査部位の選択の際に、医療検査の種類に応じて、選択可能な検査部位を適切に表示し得る、医療支援装置、医療支援方法、及びプログラムを提供することにある。
【課題を解決するための手段】
【０００９】
上記目的を達成するために、本発明における医療支援装置は、医療検査の種類の選択と各医療検査で検査対象となる患者の部位の選択とを支援する医療支援装置であって、
表示画面にユーザインタフェースを表示させる表示部と、前記ユーザインタフェースを介した外部からの入力を受け付ける入力受付部と、前記ユーザインタフェースとして表示される複数の図形を記憶している記憶部と、前記外部からの入力に応じて、前記記憶部が記憶している前記複数の図形の中から図形を選択し、選択した図形を前記表示部に表示させる図形選択部とを備え、
前記記憶部は、前記複数の図形として、
前記医療検査の種類が列記された検査種メニューと、
前記医療検査の種類毎に設定され、且つ、当該医療検査で検査可能な患者の各部位に対応する部分の集合によって形成されている、人型の図形と、
前記部分毎に設定され、且つ、各部分を細分化したときの細分化された部分の名称が列記された細分化メニューとを記憶し、
前記図形選択部は、前記表示部に前記検査種メニューを表示させた後、前記入力受付部が、いずれかの医療検査を選択する入力を受け付けると、前記表示部に、選択されている医療検査に対して設定された前記人型の図形を表示させ、
更に、前記入力受付部が、表示されている前記人型の図形のいずれかの部分を選択する入力を受け付けると、前記表示部に、選択されている部分に対して設定された前記細分化メニューを表示させる、ことを特徴とする。
【００１０】
また、上記目的を達成するために、本発明における医療支援方法は、医療検査の種類の選択と各医療検査で検査対象となる患者の部位の選択とを支援するための医療支援方法であって、
（ａ）表示画面に、ユーザインタフェースとして、前記医療検査の種類が列記された検査種メニューを表示するステップと、
（ｂ）前記（ａ）のステップで表示された検査種メニューを介して、いずれかの医療検査の選択を受け付けるステップと、
（ｃ）前記医療検査の種類毎に設定され、且つ、当該医療検査で検査可能な患者の各部位に対応する部分の集合によって形成されている、人型の図形の中から、前記（ｂ）のステップで選択された医療検査に対して設定された人型の図形を選択するステップと、
（ｄ）前記表示画面に、ユーザインタフェースとして、前記（ｃ）のステップで選択された人型の図形を表示するステップと、
（ｅ）前記（ｄ）のステップで表示された人型の図形を介して、いずれかの前記部分の選択を受け付けるステップと、
（ｆ）前記部分毎に設定され、且つ、各部分を細分化したときの細分化された部分の名称が列記された細分化メニューの中から、前記（ｅ）のステップで選択された部分に対して設定された細分化メニューを選択するステップと、
（ｇ）前記表示画面に、ユーザインタフェースとして、前記（ｆ）のステップで選択された細分化メニューを表示するステップとを有する、ことを特徴とする。
【００１１】
更に、上記目的を達成するために、本発明におけるプログラムは、医療検査の種類の選択と各医療検査で検査対象となる患者の部位の選択との支援をコンピュータに行わせるためのプログラムであって、
前記コンピュータに、
（ａ）表示画面に、ユーザインタフェースとして、前記医療検査の種類が列記された検査種メニューを表示するステップと、
（ｂ）前記（ａ）のステップで表示された検査種メニューを介して、いずれかの医療検査の選択を受け付けるステップと、
（ｃ）前記医療検査の種類毎に設定され、且つ、当該医療検査で検査可能な患者の各部位に対応する部分の集合によって形成されている、人型の図形の中から、前記（ｂ）のステップで選択された医療検査に対して設定された人型の図形を選択するステップと、
（ｄ）前記表示画面に、ユーザインタフェースとして、前記（ｃ）のステップで選択された人型の図形を表示するステップと、
（ｅ）前記（ｄ）のステップで表示された人型の図形を介して、いずれかの前記部分の選択を受け付けるステップと、
（ｆ）前記部分毎に設定され、且つ、各部分を細分化したときの細分化された部分の名称が列記された細分化メニューの中から、前記（ｅ）のステップで選択された部分に対して設定された細分化メニューを選択するステップと、
（ｇ）前記表示画面に、ユーザインタフェースとして、前記（ｆ）のステップで選択された細分化メニューを表示するステップと、を実行させる、ことを特徴とする。
【発明の効果】
【００１２】
以上のように、本発明における、医療支援装置、医療支援方法及びプログラムによれば、直感的な操作による検査部位（検査対象となる部位）の選択の際に、医療検査の種類に応じて、選択可能な検査部位を適切に表示することができる。
【発明を実施するための最良の形態】
【００１３】
（実施の形態）
以下、本発明の実施の形態における医療支援装置、医療支援方法及びプログラムについて、図１〜図９を参照しながら説明する。最初に、図１〜図８を用いて、本発明の実施の形態における医療支援装置の構成について説明する。図１は、本発明の実施の形態における医療支援装置の構成を示すブロック図である。
【００１４】
図１に示す本実施の形態における医療支援装置１は、医療検査の種類の選択と各医療検査で検査対象となる患者の部位の選択とを支援する装置である。図１に示すように、医療支援装置１は、表示部２と、入力受付部３と、図形選択部４と、記憶部５とを備えている。本実施の形態では、医療支援装置１は、病院に導入されている電子カルテシステムの一部を構成している。また、選択可能な医療検査には、ＭＲＩ検査、及びＣＴ検査が少なくとも含まれている。なお、選択可能な医療検査の種類は、特に限定されるものではない。
【００１５】
表示部２は、表示画面８ａにユーザインタフェース９を表示させる。入力受付部３は、ユーザインタフェース９を介した外部からの入力を受け付ける。記憶部５は、ユーザインタフェース９として表示される複数の図形を記憶している。図形選択部４は、外部からの入力に応じて、記憶部５が記憶している複数の図形の中から図形を選択し、選択した図形を表示部２に表示させる。
【００１６】
本実施の形態では、表示部２は、液晶表示装置といった表示装置８に接続されている。ユーザインタフェース９は、複数の図形で構成されており、表示装置８の表示画面８ａに表示される。また、入力受付部３には、キーボードやマウスといった入力装置７が接続されている。入力受付部３は、入力装置７から入力された信号、例えば、マウスの場合は、ポインタの座標を特定する信号や、クリックの有無を特定する信号を受け付け、受け付けた信号を、表示部２及び図形選択部４に入力する。表示部２は、入力受付部３からの信号に基づき、ユーザインタフェース９の表示を更新する。また、図形選択部４は、入力受付部３からの信号に基づき、後述する選択が行われたどうかを判定する。
【００１７】
記憶部５は、ユーザインタフェース９となる図形として、検査種メニュー（図２〜図８参照）と、人型の図形（図２及び図３参照）と、細分化メニュー（図７及び図８参照）とを記憶している。検査種メニューには、選択可能な医療検査の種類（検査種）が列記されている。人型の図形は、選択可能な医療検査の種類（検査種）毎に設定され、検査可能な患者の各部位に対応する部分の集合によって形成されている。細分化メニューは、人型の図形の部分毎に設定されている。細分化メニューには、各部分を細分化したときの細分化された部分（細分化部分）の名称が列記されている。
【００１８】
図形選択部４は、表示部２に検査種メニュー（図２〜図８参照）を表示させた後、入力受付部３が、いずれかの医療検査を選択する入力を受け付けると、表示部２に、選択されている医療検査に対して設定された人型の図形（図２及び図３参照）を表示させる。また、図形選択部４は、入力受付部３が、表示されている人型の図形のいずれかの部分を選択する入力を受け付けると（図４及び図５参照）、表示部２に、選択されている部分に対して設定された細分化メニュー（図６及び図７参照）を表示させる。
【００１９】
本実施の形態では、細分化メニュー（図６及び図７参照）が表示されると、入力受付部３は、細分化メニューに列記された細分化部分を選択する入力を受け付ける。医療支援装置１は、更に、送信部６を備え、選択されている医療検査を実行する検査装置に向けて、選択されている細分化部分を特定する情報を送信する。
【００２０】
具体的には、医療支援装置１は、送信部６によって、病院内に敷設されたネットワーク３０に接続され、更に、ネックとワーク３０を介して検査部門の端末装置３１及び３３に接続されている。また、端末装置３１は、ＣＴ検査装置３２に接続され、端末装置３３は、ＭＲＩ検査装置３４に接続される。選択されている細分化部分を特定する情報は、ネットワーク３０を介して、対応する検査装置に送られる。
【００２１】
このように、本実施の形態における医療支援装置１によれば、人型の図形の部分を選択することによって（図４及び図５参照）、つまり、直感的な操作によって、医療検査の検査対象となる部位の大まかな選択が可能となっている。そして、人型の図形は、医療検査の種類毎に設定されているため（図２及び図３参照）、表示画面には、検査の種類に応じて、検査可能な部位が適切に表示される。この結果、医師が、検査できない部位を誤って選択してしまう事態の発生が抑制され、医療検査の遅延が回避される。
【００２２】
更に、本実施の形態によれば、医師は、人型の図形を用いて、大まかな部位を選択してから、細分化メニューの中から具体的な部分を選択することによって（図７及び図８参照）、具体的な検査対象となる部位が特定される。即ち、本実施の形態においては、具体的な検査対象となる部位の特定は、認識の方法を変えて、二段階で行われる。よって、医師による入力誤りの発生も抑制される。
【００２３】
ここで、図２〜図８を用いて、医療支援装置１の各部の機能について、更に、具体的に説明する。図２〜図８それぞれは、表示画面に表示されるユーザインタフェースの例を示す図である。また、図２〜図８では、図１に示されたユーザインタフェース９を構成するテンプレート９ａが図示されている。本実施の形態では、テンプレート９ａを用いて、医療検査の種類と検査対象となる患者の部位とが選択される。テンプレート９ａは、記憶部５に記憶されている。テンプレート９ａの起動が入力装置７から指示されると、図形選択部９ａは、表示部２にテンプレート９ａを表示させる。
【００２４】
図２及び図３は、検査種メニューと人型の図形とを示している。検査種メニュー及び人型の図形は、ユーザインタフェース９（テンプレート９ａ）を構成する。図２及び図３に示すように、本実施の形態では、表示部２は、プルダウンメニューによって、「ＣＴ」検査または「ＭＲＩ」検査が選択可能な検査種メニュー１０を表示している。医師等の操作者が、入力装置７によるポインタ１７の操作で検査種を指定すると、入力受付部３は、検査種を選択する入力を受け付ける。
【００２５】
図２の例では、検査種として、「ＣＴ」検査が選択されている。これにより、図形選択部４は、ＣＴ検査に対して設定された人型の図形１１を記憶部５から取り出し、これを表示部２に表示させる。一方、図３の例では、検査種として「ＭＲＩ」検査が選択されている。これにより、図形選択部４は、ＭＲＩ検査に対して設定された人型の図形１２を記憶部５から取り出し、これを表示部２に表示させる。このように、本実施の形態では、選択された検査種に応じて、対応する人型の図形が表示される。
【００２６】
図２に示す人型の図形１１は、ＣＴ検査に対応するため、頭頚部１１ａ、体幹部１１ｂ、脊椎１１ｃ、右上肢１１ｄ、左上肢１１ｅ、右下肢１１ｆ、左下肢１１ｇの７つの部分で構成されている。頭頚部１１ａ、体幹部１１ｂ、脊椎１１ｃ、右上肢１１ｄ、左上肢１１ｅ、右下肢１１ｆ、及び左下肢１１ｇの各部分は、医師等の操作者がポインタ１７を操作することによって選択される。図４は、一部分が選択されている状態を示している。図４の例では、頭頸部１１ａが選択されている。
【００２７】
また、本実施の形態では、表示されている人型の図形の２以上の部分を選択する入力が、予め設定された２以上の部分の組合せについて、許容されている。よって、入力受付部３は、予め設定された組合せで、２以上の部分を選択する入力を受け付けることができる。
【００２８】
具体的には、人型の図形１１の場合は、右上肢１１ｄと左上肢１１ｅとの組み合わせ、右下肢１１ｆと左下肢１１ｇとの組み合わせ、頭頚部１１ａと体幹部１１ｂとの組み合わせ、体幹部１１ｂと右上肢１１ｄと左上肢１１ｅとの組み合わせでの選択が可能となっている。図５は、２以上の部分の組み合わせが選択されている状態を示している。図５の例では、頭頚部１１ａと体幹部１１ｂとが選択されている。また、図２、図４及び図５において、１４ａ及び１４ｂは、組み合わせ可能な２以上の部分を一括して選択するためのボタンである。
【００２９】
一方、図３に示す人型の図形１２は、ＭＲＩ検査に対応するため、頭頚部１２ａ、胸部１２ｂ、腹部１２ｃ、右上肢１２ｄ、左上肢１２ｅ、右下肢１２ｆ、左下肢１２ｇ、脊椎１２ｈの８つの部分で構成されている。なお、図形１２においても、頭頚部１２ａ、胸部１２ｂ、腹部１２ｃ、右上肢１２ｄ、左上肢１２ｅ、右下肢１２ｆ、左下肢１２ｇ及び脊椎１２ｈの各部分は、医師等の操作者がポインタ１７を操作することによって選択される。
【００３０】
また、人型の図形１２の場合は、右上肢１１ｄと左上肢１１ｅとの組み合わせ、右下肢１１ｆと左下肢１１ｇとの組み合わせ、胸部１２ａと腹部１２ｂと脊椎１２ｈと右下肢１２ｆと左下肢１２ｇとの組み合わせでの選択が可能となっている。また、図３において、１５ａ及び１５ｂは、先に説明したボタン１４ａ及び１４ｂと同様に、組み合わせ可能な２以上の部分を一括して選択するためのボタンである。
【００３１】
図２と図３との比較から分かるように、人型の図形１１と人型の図形１２とは、ＣＴ検査とＭＲＩ検査との特性の違いにより、分割の態様や、部分の組み合わせが異なっている。このように、本実施の形態によれば、上述したように、表示画面８ａ（図１参照）には、検査の種類に応じた検査可能な部位が、適切に表示される。また、図２〜図４の例に示すように、ユーザインタフェース９においては、人型の図形１１及び１２の各部分の選択は、プルダウンメニュー１３によっても可能となっている。
【００３２】
そして、人型の図形１１又は１２を用いて大まかな部分が選択されると、図形選択部４は、選択された部分に対応する細分化メニューを記憶部５に記憶されている図形の中から選択し、これを表示部２に表示させる。本実施の形態では、人型の図形１１又は１２において、部分が選択された後に、タブ１６が「検査項目」に切り替えられると、図６に示すように、選択された部分に対応する細分化メニュー１８が表示される。図６は、人型の図形１１の頭頸部１１ａが選択された場合（図４参照）の細分化メニュー１８を示している。
【００３３】
図６に示すように、細分化メニュー１８としては、リストボックスが用いられている。細分化メニュー１８に列記されている細分化部分の一つが選択されると、リストボックス１９には、選択可能な検査名が表示される。医師等の操作者は、リストボックス１９に表示されている検査名の中から、求める検査名を選択できる。
【００３４】
また、人型の図形１１又は１２において、２以上の部分の組み合わせが選択された場合は、図７に示すように、図形選択部４は、選択されている組み合わせ、それぞれについて、対応する細分化メニューを表示部２に表示させる。図７は、人型の図形１１において、頭頚部１１ａと体幹部１１ｂとの組み合わせが選択された場合（図５参照）の細分化メニュー２０及び２１を示している。なお、図７の例では、２以上の部分の組合せが選択されているため、頭頸部１１ａに対応する細分化メニュー２０は、図６に示した細分化メニュー１８とは異なっている。
【００３５】
そして、図７に示すように、細分化メニュー２０及び２１に列記されている細分化部分の一つが選択されると、リストボックス２２には、選択可能な検査名が表示される。この場合も、医師等の操作者は、リストボックス２２に表示されている検査名の中から、求める検査名を選択できる。
【００３６】
また、本実施の形態では、入力受付部３（図１参照）は、外部からのテキスト情報の入力も受け付けることができる。具体的には、図２〜図７に示されたタブ１６が「主訴・検査目的・病名」に切り替えられると、図８に示すように、テキスト情報の入力が可能となる。
【００３７】
図８は、人型の図形１１の頭頸部１１ａが選択された後（図４参照）に、タブ１６が「主訴・検査目的・病名」に切り替えられた例を示している。図８に示すように、図形選択部４は、テンプレート９ａ内に、テキスト入力ボックス２３、２４、及び２５を表示させる。テキスト入力ボックス２３には、患者の主な訴え（主訴）が入力される。テキストボックス２４には、医師のコメントが入力される。また、テキストボックス２５には、医師の診断した病名が入力される。
【００３８】
更に、図８に示すように、図形選択部４は、選択された部分（この場合は頭頸部１１ａ）の拡大図（シェーマ）を、テンプレート９ａのボックス２６内に表示させる。また、入力されたテキスト情報は、選択されている細分化部分を特定する情報と共に、送信部６（図１参照）によって、検査装置に向けて送信される。
【００３９】
次に、本発明の実施の形態における医療支援方法について図９を用いて説明する。図９は、本発明の実施の形態における医療支援方法を示すフロー図である。本実施の形態における医療支援法は、図１に示した本実施の形態における医療支援装置１を動作させることによって実施される。このため、以下の説明においては、適宜図１〜図８を参酌する。
【００４０】
図９に示すように、先ず、テンプレート９ａ（図２〜図８参照）の起動が入力装置７を介して指示されると、図形選択部４は、記憶部５から、テンプレート９ａを構成するデータを読み取り、これを表示部２に送ってテンプレート９ａを表示させる（ステップＳ１）。ステップＳ１においては、人型の図形１１及び１２は、未だ表示されていない状態である。
【００４１】
次に、入力受付部３は、入力装置７を介して、検査種を選択する入力が行われると、それを受け付け、受け付けた入力を図形選択部４及び表示部２に入力する（ステップＳ２）。ステップＳ２の後、図形選択部４は、選択された検査種がＣＴ検査であるかどうかを判定する（ステップＳ３）。
【００４２】
ステップＳ３の判定の結果、検査種がＣＴ検査である場合は、図形選択部４は、ＣＴ検査に対して設定された人型の図形１１を記憶部５から取り出し、図２に示すように、これを表示部２に表示させる（ステップＳ４）。一方、ステップＳ３の判定の結果、検査種がＣＴ検査でない場合、即ち、検査種がＭＲＩ検査である場合は、図形選択部４は、ＭＲＩ検査に対して設定された人型の図形１２を記憶部５から取り出し、図３に示すように、これを表示部２に表示させる（ステップＳ５）。
【００４３】
ステップＳ４及びステップＳ５が終了すると、入力受付部３は、人型の図形を構成している複数の部分から、いずれかを選択する入力を受け付ける（ステップＳ６）。ステップＳ６においては、入力受付部３は、一つの部分の選択のみを受け付けても良いし（図４参照）、予め設定された２以上の部分の組合せでの選択を受け付けても良い（図５参照）。また、入力受付部３は、選択を受け付けると、選択された部分を特定する情報を図形選択部４に入力する。
【００４４】
次に、図形選択部４は、選択された部分に対応する細分化メニューを記憶部５に記憶されている図形の中から選択し、これを表示部２に表示させる（ステップＳ７）。また、ステップＳ６において、２以上の部分の組み合わせが選択されている場合は、図７に示すように、図形選択部４は、選択されている組み合わせ、それぞれについて、対応する細分化メニューを表示部２に表示させる。
【００４５】
次に、入力受付部３は、図６及び図７に示すように、細分化メニューに列記されている細分化部分を選択する入力を受け付ける（ステップＳ８）。ステップＳ８においては、更に、医師等の操作者が指定した検査名の入力も受け付ける。
【００４６】
続いて、入力受付部３は、図８に示すように、各種のテキスト情報の入力も受け付ける（ステップＳ９）。そして、入力受付部３は、ステップＳ８で選択された細分化部分を特定する情報と、ステップＳ９で受け付けたテキスト情報とを送信部６に入力する。その後、送信部６は、入力された情報（テキスト情報を含む）を、ステップＳ２で選択された医療検査を実行する検査装置に向けて送信する（ステップＳ１０）。ステップＳ１０の実行により、医療支援装置１における処理は終了する。
【００４７】
このように、本実施の形態における医療支援方法においても、直感的な操作を助ける人型の図形は、医療検査の種類毎に設定されているため（図２及び図３参照）、表示画面には、検査の種類に応じて、検査可能な部位が適切に表示される。医療支援装置１の説明でも述べたように、本実施の形態における医療支援方法によれば、医師が、検査できない部位を誤って選択してしまう事態の発生が抑制され、医療検査の遅延が回避される。
【００４８】
また、本実施の形態におけるプログラムは、コンピュータに、図９に示すステップＳ１〜Ｓ１０を実行させるプログラムであれば良い。このプログラムをコンピュータにインストールし、これを実行すれば、本実施の形態における医療支援装置が具現化され、本実施の形態における医療支援方法が実行される。
【００４９】
この場合、コンピュータのＣＰＵ（central  processing  unit）は、入力受付部３、図形選択部４、表示部２及び通信部６として機能し、処理を行なう。また、本実施の形態では、記憶部５は、コンピュータに備えられたハードディスク等の記憶装置に、これらを構成するデータファイルを格納することによって、又はこのデータファイルが格納された記録媒体をコンピュータと接続された読取装置に搭載することによって実現できる。
【産業上の利用可能性】
【００５０】
以上のように、本発明によれば、医師が、検査できない部位を誤って選択してしまう事態の発生を抑制でき、それによる医療検査の遅延を回避できる。よって、本発明は、産業上の利用可能性を有するものである。
【図面の簡単な説明】
【００５１】
【図１】図１は、本発明の実施の形態における医療支援装置の構成を示すブロック図である。
【図２】図２は、表示画面に表示されるユーザインタフェースの例を示す図である。
【図３】図３は、表示画面に表示されるユーザインタフェースの例を示す図である。
【図４】図４は、表示画面に表示されるユーザインタフェースの例を示す図である。
【図５】図５は、表示画面に表示されるユーザインタフェースの例を示す図である。
【図６】図６は、表示画面に表示されるユーザインタフェースの例を示す図である。
【図７】図７は、表示画面に表示されるユーザインタフェースの例を示す図である。
【図８】図８は、表示画面に表示されるユーザインタフェースの例を示す図である。
【図９】図９は、本発明の実施の形態における医療支援方法を示すフロー図である。
【符号の説明】
【００５２】
１  医療支援装置
２  表示部
３  入力受付部
４  図形選択部
５  記憶部
６  送信部
７  入力装置
８  表示装置
８ａ  表示画面
９  ユーザインタフェース
９ａ  テンプレート
１０  検査種メニュー
１１  人型の図形（ＣＴ検査）
１１ａ  頭頚部
１１ｂ  体幹部
１１ｃ  脊椎
１１ｄ  右上肢
１１ｅ  左上肢
１１ｆ  右下肢
１１ｇ  左下肢
１２  人型の図形（ＭＲＩ検査）
１２ａ  頭頚部
１２ｂ  胸部
１２ｃ  腹部
１２ｄ  右上肢
１２ｅ  左上肢
１２ｆ  右下肢
１２ｇ  左下肢
１２ｈ  脊椎１２
１３  プルダウンメニュー
１４ａ、１４ｂ、１５ａ、１５ｂ  ボタン
１６  タブ
１７  ポインタ
１８  細分化メニュー
１９  リストボックス
２０、２１  細分化メニュー
２２  リストボックス
３０  ネットワーク
３１  端末装置
３２  ＣＴ検査装置
３３  端末装置
３４  ＭＲＩ検査装置
【図１】
2010113417.tif 000003
【図２】
2010113417.tif 000004
【図３】
2010113417.tif 000005
【図４】
2010113417.tif 000006
【図５】
2010113417.tif 000007
【図６】
2010113417.tif 000008
【図７】
2010113417.tif 000009
【図８】
2010113417.tif 000010
【図９】
2010113417.tif 000011